(57)【要約】【課題】複雑に動作する装飾体を備えた時計を提供する。【解決手段】時計は、地板２０と、地板２０に対して所定の中心軸線Ｏ回りに相対回転可能な回転板３０と、回転板３０に回転可能に支持され、地板２０に対する回転板３０の回転に同期して回転する第２歯車５２と、第２歯車５２に連係し、回転板３０から見て中心軸線Ｏを中心として放射状に延びる第１方向に沿って変位する背面装飾体５と、を備える。【選択図】図４
2020176894.tif 000002
【特許請求の範囲】
【請求項１】
地板と、
前記地板に対して所定の回転軸線回りに相対回転可能な回転板と、
前記回転板に回転可能に支持され、前記地板に対する前記回転板の回転に同期して回転する歯車と、
前記歯車に連係し、前記回転板から見て前記回転軸線を中心として放射状に延びる第１方向に沿って変位する装飾体と、
を備えることを特徴とする時計。
【請求項２】
前記装飾体は、文字板の背面側に配置され、正面視で前記文字板から突出可能に形成されている、
ことを特徴とする請求項１に記載の時計。
【請求項３】
前記地板には、前記回転軸線を中心として円弧状に延びる歯部が設けられ、
前記歯車は、前記歯部に噛み合っている、
ことを特徴とする請求項１または請求項２に記載の時計。
【請求項４】
前記回転軸線の軸方向から見て前記第１方向に直交する方向を第２方向とし、
前記回転板は、前記装飾体に対して前記第２方向で接触可能な規制部を備える、
ことを特徴とする請求項１から請求項３のいずれか１項に記載の時計。
【請求項５】
前記装飾体は、前記第１方向で位置の異なる少なくとも２点で前記規制部に接触可能に設けられている、
ことを特徴とする請求項４に記載の時計。
【請求項６】
前記歯車は、前記歯車の回転中心に対して偏心した位置で前記装飾体側に突出するガイドピンを備え、
前記装飾体には、前記ガイドピンが挿入されるとともに、前記第１方向に交差する方向に延びるガイド溝が形成されている、
ことを特徴とする請求項１から請求項５のいずれか１項に記載の時計。
【請求項７】
前記装飾体を挟んで前記回転板とは反対側から前記装飾体に接触する押さえ板を備える、
ことを特徴とする請求項１から請求項６のいずれか１項に記載の時計。
【請求項８】
前記装飾体は、前記第１方向で位置の異なる少なくとも２点で前記押さえ板に接触している、
ことを特徴とする請求項７に記載の時計。
【発明の詳細な説明】
【技術分野】
【０００１】
本発明は、時計に関するものである。
【背景技術】
【０００２】
装飾体を移動させるからくり時計がある（例えば、特許文献１参照）。特許文献１に記載のからくり時計は、回転可能に配置された装飾板、および装飾板よりも正面側に配置され移動可能な装飾体を含み、これら装飾板および装飾板が単一の文字板として機能し、所定の時刻になると装飾板が回転し、装飾体が公転しながら自転する。
【先行技術文献】
【特許文献】
【０００３】
【特許文献１】特許第６０８８８９８号公報
【発明の概要】
【発明が解決しようとする課題】
【０００４】
しかしながら、装飾体がより複雑に動作する時計の開発が望まれている。
【０００５】
そこで本発明は、複雑に動作する装飾体を備えた時計を提供するものである。
【課題を解決するための手段】
【０００６】
本発明の時計は、地板と、前記地板に対して所定の回転軸線回りに相対回転可能な回転板と、前記回転板に回転可能に支持され、前記地板に対する前記回転板の回転に同期して回転する歯車と、前記歯車に連係し、前記回転板から見て前記回転軸線を中心として放射状に延びる第１方向に沿って変位する装飾体と、を備えることを特徴とする。
【０００７】
本発明によれば、回転板の回転に同期して装飾体を回転軸線回りに公転させながら、回転軸線に対して接近離間する方向に移動させることができる。よって、従来の時計にはない複雑な動作をする装飾体を備えた時計を提供できる。
【０００８】
上記の時計において、前記装飾体は、文字板の背面側に配置され、正面視で前記文字板から突出可能に形成されていてもよい。
【０００９】
本発明によれば、装飾体が文字板の背面側からせり出したり、文字板の背面側に戻ったりする動作を表現できる。よって、従来の時計と比較して、より面白みのある時計とすることができる。
【００１０】
上記の時計において、前記地板には、前記回転軸線を中心として円弧状に延びる歯部が設けられ、前記歯車は、前記歯部に噛み合っていてもよい。
【００１１】
本発明によれば、回転板を地板に対して相対回転させると、地板の歯部に噛み合う歯車が回転軸線回りに公転しながら自転する。よって、回転板の回転に同期して回転する歯車を形成することができる。
【００１２】
上記の時計において、前記回転軸線の軸方向から見て前記第１方向に直交する方向を第２方向とし、前記回転板は、前記装飾体に対して前記第２方向で接触可能な規制部を備えていてもよい。
【００１３】
本発明によれば、装飾体の第２方向の変位を規制部によって規制できる。よって、回転板の回転に同期して装飾体を回転軸線回りに公転させることができる。
【００１４】
上記の時計において、前記装飾体は、前記第１方向で位置の異なる少なくとも２点で前記規制部に接触可能に設けられていてもよい。
【００１５】
ここで、規制部が１点で装飾体に接触する場合、接触部を支点として回転板上で装飾体が回転するように変位する可能性がある。本発明によれば、装飾体が回転板上で回転するように変位することを抑制できる。したがって、回転板に対して放射状に延びる第１方向に沿って装飾体を変位させることができる。
【００１６】
上記の時計において、前記歯車は、前記歯車の回転中心に対して偏心した位置で前記装飾体側に突出するガイドピンを備え、前記装飾体には、前記ガイドピンが挿入されるとともに、前記第１方向に交差する方向に延びるガイド溝が形成されていてもよい。
【００１７】
本発明によれば、ガイドピンをガイド溝内で変位させることで装飾体に対するガイドピンの第１方向に交差する方向への変位を許容しつつ、ガイドピンの第１方向への変位に連動して装飾体を第１方向に変位させることができる。したがって、第２歯車の回転運動を装飾体の直線運動に変換することができる。
【００１８】
上記の時計において、前記装飾体を挟んで前記回転板とは反対側から前記装飾体に接触する押さえ板を備えていてもよい。
【００１９】
本発明によれば、装飾体の回転板から離れる方向への変位を押さえ板によって規制できる。したがって、装飾体を安定させることができる。
【００２０】
上記の時計において、前記装飾体は、前記第１方向で位置の異なる少なくとも２点で前記押さえ板に接触していてもよい。
【００２１】
ここで、押さえ板が１点で装飾体に接触する場合、接触部を支点として装飾体が煽られるように変位する可能性がある。本発明によれば、装飾体が煽られることを抑制できる。したがって、装飾体をより安定させることができる。
【発明の効果】
【００２２】
本発明によれば、複雑に動作する装飾体を備えた時計を提供できる。
【図面の簡単な説明】
【００２３】
【図１】実施形態の時計の正面図である。
【図２】実施形態の時計の正面図である。
【図３】実施形態の時計の一部を示す平面図である。
【図４】実施形態の時計の一部を示す平面図である。
【図５】図３のＶ−Ｖ線における断面図である。
【図６】実施形態の時計の一部を示す斜視図である。
【図７】図３のＶＩＩ−ＶＩＩ線における断面図である。
【発明を実施するための形態】
【００２４】
以下、本発明の実施形態を図面に基づいて説明する。なお以下の説明では、同一または類似の機能を有する構成に同一の符号を付す。そして、それら構成の重複する説明は省略する場合がある。
【００２５】
最初に、時計１の概略構成について説明する。
図１および図２は、実施形態の時計の正面図である。
図１および図２に示すように、時計１は、からくり時計である。時計１は、装飾が施されて中央に開口が形成された正面板２と、正面板２の開口内に回転可能に配置された装飾板３と、装飾板３よりも正面側に配置され移動可能な複数（本実施形態では３個）の正面装飾体４と、装飾板３よりも背面側に配置され移動可能な複数（本実施形態では３個）の背面装飾体５と、中心軸線Ｏ（回転軸線）回りを回転して時刻を示す分針６および時針７と、を備える。なお、図１では、装飾板３、正面装飾体４、および背面装飾体５が初期位置にある状態を示している。
【００２６】
装飾板３は、中心軸線Ｏを中心とする円板状に形成されている。装飾板３の正面には、時刻を示す数字が明示されている。本実施形態では、装飾板３の正面には、数字の「２」「６」「１０」が中心軸線Ｏ回りに等角度間隔に明示されている。
【００２７】
複数の正面装飾体４は、装飾板３に対して相対回転可能に設けられている。複数の正面装飾体４は、中心軸線Ｏ回りに等角度間隔に配置されている。複数の正面装飾体４は、時刻を示す数字が記載された板部１１と、板部１１から中心軸線Ｏ側に延びた先端部１２と、を備える。第１の正面装飾体４の板部１１の正面には、数字の「１１」「１２」「１」が明示されている。第２の正面装飾体４の板部１１の正面には、数字の「３」「４」「５」が明示されている。第３の正面装飾体４の板部１１の正面には、数字の「７」「８」「９」が明示されている。初期状態では、装飾板３に明示された数字を露出するように複数の正面装飾体４が配置されている。初期状態では、正面から見て、装飾板３に明示された数字、および複数の正面装飾体４に明示された数字が中心軸線Ｏ回りに等角度間隔に並んでいる。初期状態では、装飾板３、および複数の正面装飾体４は、全体として正面視で円形の状態で維持され、単一の文字板として機能する。
【００２８】
複数の背面装飾体５は、装飾板３に対して平行移動し、正面視で装飾板３から径方向の外側に突出可能に形成されている。複数の背面装飾体５は、中心軸線Ｏ回りに等角度間隔に配置されている。複数の背面装飾体５は、装飾板３から径方向の外側に突出する突出部１４を備える。突出部１４は、中心軸線Ｏ回りの周方向に沿って延びる板状に形成されている。突出部１４は、円弧状に延びる外周縁１４ａおよび内周縁１４ｂを備える。外周縁１４ａは、初期状態で中心軸線Ｏを中心として１２０°未満の円弧状に延びている。初期状態では、複数の背面装飾体５の全体は、正面視で装飾板３に覆われている。内周縁１４ｂは、背面装飾体５が装飾板３に対して最も突出した状態（図２に示す状態。以下、突出状態という。）で、中心軸線Ｏを中心として１２０°未満の円弧状に延びている。内周縁１４ｂは、突出状態で装飾板３の外周縁に径方向で重なっている。
【００２９】
図２に示すように、所定の時刻になると、装飾板３は、中心軸線Ｏ回りを回転し、複数の正面装飾体４は、中心軸線Ｏ回りを公転しながら自転する。また、複数の背面装飾体５は、装飾板３とともに中心軸線Ｏ回りを公転しながら、装飾板３の背面側から露出するように径方向の外側に突出する。所定時間経過すると、装飾板３、複数の正面装飾体４、および複数の背面装飾体５は初期位置に戻る。このように、時計１は、所定の時刻にからくり動作を実行する。なお、装飾板３の回転範囲や動き等は特に限定されず、例えば装飾板３が３６０°回転するように設定されていてもよい。また、時計１は、装飾板３が回転している間にスピーカから音楽が出力されるように形成されていてもよい。
【００３０】
続いて、時計１の要部の構成について詳細に説明する。
図３および図４は、実施形態の時計の一部を示す平面図である。図５は、図３のＶ−Ｖ線における断面図である。なお、図３および図４では、装飾板および正面装飾体を図示していない。
図３から図５に示すように、時計１は、固定的に配置された地板２０と、地板２０に固定的に支持された固定部材２５と、地板２０に対して中心軸線Ｏ回りに相対回転可能な回転板３０と、回転板３０に回転可能に支持され、地板２０に対する回転板３０の回転に同期して回転する複数の第１歯車５１および複数の第２歯車５２と、を備える。複数の第１歯車５１は、複数の正面装飾体４（図１参照）と同数設けられている。複数の第２歯車５２は、複数の背面装飾体５と同数設けられている。なお、以下の説明では、中心軸線Ｏに沿う方向を軸方向といい、中心軸線Ｏに直交して中心軸線Ｏから放射状に延びる方向を径方向といい、中心軸線Ｏ回りの周方向を単に周方向という。
【００３１】
図３および図５に示すように、地板２０は、装飾板３の背面側に配置されている。地板２０の背面側には、分針６および時針７が取り付けられる回転軸８を駆動するムーブメントや、回転板３０を駆動するためのモータ等が配置されている。回転軸８は、地板２０の略中央を貫通している。地板２０の正面側には、外歯２１および内歯２２（歯部）が設けられている。外歯２１は、中心軸線Ｏを中心として円弧状に３６０°延びている。内歯２２は、中心軸線Ｏを中心として円弧状に３６０°延びている（図４も併せて参照）。内歯２２は、外歯２１よりも径方向の外側に設けられている。
【００３２】
固定部材２５は、地板２０の正面側に支持されている。固定部材２５は、中心軸線Ｏを中心として延びる円筒状に形成されている。固定部材２５は、回転軸８を囲う。固定部材２５の正面側の端部には、径方向の外側に張り出すフランジ部２６が設けられている。フランジ部２６は、初期状態では、正面視で複数の正面装飾体４それぞれの先端部１２に部分的に重なっている（図１および図２参照）。詳細には、フランジ部２６は、複数の正面装飾体４それぞれの先端部１２の正面側に位置している。これにより、例えば時計１に衝撃が加わったような場合に、複数の正面装飾体４の先端部１２等が正面側に変位することを規制して、正面装飾体４が煽られることを抑制している。
【００３３】
回転板３０は、地板２０の正面側、かつ固定部材２５のフランジ部２６よりも背面側に配置されている。回転板３０は、正面視で中心軸線Ｏを中心とする円形状に形成されている。回転板３０の中心には、固定部材２５の背面側の端部がスリップ可能に挿入された貫通孔３１が形成されている。
【００３４】
図６は、実施形態の時計の一部を示す斜視図である。なお、図６では、背面装飾体５の突出部１４およびアーム本体６１を仮想線で示している。
図６に示すように、回転板３０は、貫通孔３１の内周端部から径方向の外側に延びる内周部３２と、内周部３２の外周端部から背面側に延びる段差部３３と、段差部３３の背面側の端部から径方向の外側に延びる外周部３４と、を備える。段差部３３は、地板２０に設けられた外歯２１の径方向外側に位置している（図５参照）。段差部３３には、第１歯車５１（図３参照）が挿通される第１歯車５１と同数の窓部３５が形成されている。外周部３４の外周面には、歯３９が形成されている。歯３９は、地板２０に設けられた内歯２２よりも径方向の内側に位置している（図５参照）。歯３９は、図示しない歯車に噛み合い、上述したモータの出力軸に連結している。
【００３５】
外周部３４には、第１歯車５１を軸支する複数の第１軸部３６と、第２歯車５２を軸支する複数の第２軸部３７と、が設けられている。複数の第１軸部３６は、複数の第１歯車５１と同数設けられている。複数の第２軸部３７は、複数の第２歯車５２と同数設けられている。第１軸部３６および第２軸部３７は、それぞれ正面側に突出している。複数の第１軸部３６は、周方向において、それぞれ段差部３３に形成された窓部３５と重なる位置に設けられている。複数の第１軸部３６は、中心軸線Ｏを中心とする同一円周上に設けられている。複数の第２軸部３７は、複数の第１軸部３６よりも径方向の外側で中心軸線Ｏを中心とする同一円周上に設けられている。第１軸部３６および第２軸部３７は、中心軸線Ｏ回りに等角度間隔で交互に設けられている。すなわち、隣り合う第１軸部３６と第２軸部３７との角度間隔は、６０°である。
【００３６】
回転板３０の正面側には、装飾板３が接続される複数のボス３８が設けられている。ボス３８は、回転板３０から正面側に突出している。複数のボス３８は、各第１軸部３６の周囲に設けられている。本実施形態では、複数のボス３８は、各第１軸部３６の周囲に３個ずつ設けられている。複数のボス３８は、正面視で正面装飾体４に重なる位置に設けられている。複数のボス３８は、各第１軸部３６の周囲において外周部３４に２個、内周部に１個ずつ設けられている。
【００３７】
回転板３０の正面側には、背面装飾体５の移動をガイドする複数のガイド部４０が設けられている。複数のガイド部４０は、複数の背面装飾体５と同数設けられている。ガイド部４０は、周方向において複数の第２軸部３７のそれぞれと同じ領域に１つずつ設けられている。ここで、各ガイド部４０において、正面視で中心軸線Ｏと第２軸部３７の中心とを結ぶ仮想線分の延びる方向を第１方向と定義し、正面視で第１方向に直交する方向を第２方向と定義する。第１方向は、回転板３０から見て中心軸線Ｏを中心として放射状に延びる方向の一方向である。また、正面視で中心軸線Ｏと第２軸部３７とを結ぶ仮想線分を、ガイド部４０の中心線と称する。ガイド部４０は、背面装飾体５に対して第２方向で接触可能とされ、背面装飾体５の第２方向の移動を規制する。ガイド部４０は、径方向内側の内側ガイド部４１と、径方向外側の外側ガイド部４４と、を備える。
【００３８】
内側ガイド部４１は、回転板３０の内周部３２に設けられている。内側ガイド部４１は、一対の内側レール４２を備える。一対の内側レール４２は、ガイド部４０の中心線を挟んで対称に配置されている。一対の内側レール４２は、正面側に突出するとともに、ガイド部４０の中心線に平行に延びている。一対の内側レール４２の正面側の端部は、中心軸線Ｏの垂直面に沿って平坦に形成されている。一対の内側レール４２の間には、一対の内側レール４２に沿って延びる貫通孔４７が形成されている。貫通孔４７は、背面装飾体５の後述する背面ピン６７を受け入れる。
【００３９】
外側ガイド部４４は、回転板３０の内周部３２から外周部３４にわたって設けられている。外側ガイド部４４は、一対の外側レール４５を備える。一対の外側レール４５は、ガイド部４０の中心線を挟んで対称に配置されている。一対の外側レール４５は、一対の内側レール４２よりもガイド部４０の中心線から第２方向に離れた位置に配置されている。一対の外側レール４５は、正面側に突出するとともに、ガイド部４０の中心線に平行に延びている。一対の外側レール４５の正面側の端部は、一対の内側レール４２の正面側の端部と同じ平面に沿って平坦に形成されている。一対の外側レール４５それぞれにおけるガイド部４０の中心線側には、貫通孔４８が形成されている。貫通孔４８は、回転板３０の内周部３２に設けられている。貫通孔４８は、背面装飾体５の背面ピン６７を受け入れる。
【００４０】
図３および図５に示すように、複数の第１歯車５１は、第１軸部３６に１つずつ回転可能に支持されている。複数の第１歯車５１は、それぞれ回転板３０の窓部３５を通り、回転板３０の背面側で地板２０の外歯２１に噛み合っている。これにより、複数の第１歯車５１は、回転板３０が地板２０に対して相対回転することで、回転板３０の回転に同期して中心軸線Ｏ回りを公転しながら自転する。複数の第１歯車５１には、正面装飾体４の背面から延びた軸が固定されている。
【００４１】
複数の第２歯車５２は、第２軸部３７に１つずつ回転可能に支持されている。複数の第２歯車５２は、それぞれガイド部４０の一対の外側レール４５の間に配置されている。複数の第２歯車５２は、地板２０の内歯２２に噛み合っている。これにより、複数の第２歯車５２は、回転板３０が地板２０に対して相対回転することで、回転板３０の回転に同期して中心軸線Ｏ回りを公転しながら自転する。複数の第２歯車５２のそれぞれには、第２歯車５２の回転中心に対して偏心した位置で正面側に突出したガイドピン５３が設けられている。初期状態では、ガイドピン５３は、正面視でガイド部４０の中心線上に位置している。つまり、ガイドピン５３は、初期状態で中心軸線Ｏに最も近づいている。
【００４２】
複数の背面装飾体５は、周方向における複数のガイド部４０が設けられたそれぞれの領域に１つずつ配置されている。複数の背面装飾体５は、第２歯車５２に連係し、回転板３０に対してガイド部４０における第１方向に沿って平行移動可能に設けられている。背面装飾体５は、上述した突出部１４に加えて、アーム部６０をさらに備える。アーム部６０は、突出部１４の内周縁１４ｂの中央から径方向内側に延出している。アーム部６０は、背面側に突出した複数の背面ピン６７と、正面側に突出した複数の正面ピン６８と、を備える（図６参照）。本実施形態では、アーム部６０は、突出部１４と一体形成されたアーム本体６１と、アーム本体６１とは別体で設けられ、背面ピン６７および正面ピン６８を一体に有する複数のピン部材６５と、を備える。
【００４３】
アーム本体６１は、正面視でガイド部４０の中心線に重なるように配置されている。アーム本体６１は、正面視で略一定の幅で第１方向に延びる板状に形成されている。アーム本体６１には、第２歯車５２のガイドピン５３が挿入されるガイド溝６２と、ピン部材６５が取り付けられる複数の取付部６３と、が形成されている。ガイド溝６２は、アーム本体６１の背面に開口している。本実施形態では、ガイド溝６２は、アーム本体６１を貫通している。ガイド溝６２は、ガイド部４０の中心線に交差して延びている。具体的に、ガイド溝６２は、第２方向に延びている。ガイド溝６２の第２方向の寸法は、第２歯車５２の自転に伴うガイドピン５３の第２方向の移動範囲以上に設定されている。ガイド溝６２の第１方向の幅は、ガイドピン５３の外径と同程度よりも大きめに設定されている。初期状態では、ガイド溝６２の中央にガイドピン５３が挿入されている。
【００４４】
図６に示すように、複数の取付部６３は、複数のピン部材６５と同数設けられている。複数の取付部６３は、アーム本体６１における中心軸線Ｏ側の端部、および第２方向の両側の端部に設けられている。複数の取付部６３には、背面ピン６７が挿通される切欠が形成されている。
【００４５】
複数のピン部材６５は、それぞれ取付部６３に取り付けられている。つまり、複数のピン部材６５は、アーム部６０の中心軸線Ｏ側の端部に設けられた第１ピン部材６５Ａと、アーム部６０における第２方向の両側の端部に設けられた一対の第２ピン部材６５Ｂと、を備える。一対の第２ピン部材６５Ｂは、正面視でガイド部４０の中心線を挟んで対称に設けられている。一対の第２ピン部材６５Ｂは、第１ピン部材６５Ａよりも径方向の外側に配置されている。
【００４６】
図７は、図３のＶＩＩ−ＶＩＩ線における断面図である。
図６および図７に示すように、複数のピン部材６５は、アーム本体６１の正面に重なる鍔部６６と、鍔部６６から背面側に突出する背面ピン６７と、鍔部６６から正面側に突出する正面ピン６８と、を備える。鍔部６６は、板状に形成されている。鍔部６６は、正面視で取付部６３に重なる位置に配置され、アーム本体６１に締結等によって固定的に取り付けられている。背面ピン６７は、円柱状に形成されている。背面ピン６７は、鍔部６６から取付部６３の切欠の内側を通って、アーム本体６１よりも背面側に突出している。背面ピン６７の外周面には、背面側に向く段差面７１と、段差面７１から正面側に延びる大径部７２と、段差面７１から背面側に延びる小径部７３と、が形成されている。正面ピン６８は、背面ピン６７と同軸の円柱状に形成されている。正面ピン６８の正面側の端部には、正面側に突出する半球状の凸部６９が設けられている。
【００４７】
図６に示すように、背面装飾体５は、第１方向で位置の異なる２点において、ガイド部４０に軸方向で接触している。具体的に、第１ピン部材６５Ａの段差面７１は、ガイド部４０の一対の内側レール４２の正面側の端部に摺接している。また、一対の第２ピン部材６５Ｂの段差面７１は、第１ピン部材６５Ａとは第１方向で異なる位置において、それぞれガイド部４０の一対の外側レール４５の正面側の端部に摺接している。これにより、アーム部６０の背面側への移動が規制されている。また、背面装飾体５は、第２方向で位置の異なる複数点において、ガイド部４０に軸方向で接触している。具体的に、第１ピン部材６５Ａの段差面７１は、ガイド部４０の一対の内側レール４２の正面側の端部に摺接している。また、一対の第２ピン部材６５Ｂそれぞれの段差面７１は、第１ピン部材６５Ａとは第２方向で異なる位置において、ガイド部４０の一対の外側レール４５の正面側の端部に摺接している。
【００４８】
背面装飾体５は、第１方向で位置の異なる２点において、ガイド部４０に第２方向で接触可能とされている。具体的に、第１ピン部材６５Ａの小径部７３は、ガイド部４０の一対の内側レール４２の間に配置され、内側レール４２に対して第２方向で接触可能となっている。また、一対の第２ピン部材６５Ｂの小径部７３は、第１ピン部材６５Ａとは第１方向で異なる位置においてガイド部４０の一対の外側レール４５の間に配置され、外側レール４５に対して第２方向で接触可能となっている。これにより、背面装飾体５は、第１方向で位置の異なる２点で回転板３０に対して第２方向への移動を規制されているので、回転板３０に対して第１方向に平行移動可能となっている。
【００４９】
図７に示すように、装飾板３は、背面装飾体５を挟んで回転板３０とは反対側に配置されている。装飾板３は、回転板３０に固定的に取り付けられている。具体的に、装飾板３は、回転板３０の複数のボス３８に締結されている。装飾板３は、回転板３０の内側レール４２および外側レール４５との間で背面装飾体５のアーム部６０を挟持している。具体的に、装飾板３の背面には、背面装飾体５の各ピン部材６５の凸部６９が摺動可能に点接触している。つまり、背面装飾体５は、第１方向で位置の異なる２点において、装飾板３に軸方向で接触している。これにより、装飾板３は、第１方向で位置の異なる２点で回転板３０とともにアーム部６０を挟持し、背面装飾体５の煽りを抑制している。また、背面装飾体５は、第２方向で位置の異なる複数点において、装飾板３に軸方向で接触している。これにより、装飾板３は、第２方向で位置の異なる複数点で回転板３０とともにアーム部６０を挟持し、背面装飾体５の捻じれを抑制している。装飾板３の背面のうち各ピン部材６５の凸部６９が接触する箇所は、凸部６９側に一段突出するように形成されている。
【００５０】
なお、図６に示すようにアーム部６０が初期状態にある場合は、アーム部６０は４つのボス３８に囲まれた矩形領域内に位置することになる。本実施形態における装飾板３は、例えば、ポリアセタール樹脂（ＰＯＭ）材で形成されており、このような部材は比較的柔らかく、装飾板３自体が面積的にも大きいこともあり、装飾板３自体が反るなどして装飾板３の背面側の面を平坦に保つことは困難となる場合がある。このような装飾板３をボス３８に締結して形状を矯正することで、特にボス３８に囲まれた領域については比較的平坦に保つことが可能となる。このような平坦領域を形成する構成によりアーム部６０の狭持が安定し、より一層背面装飾体５の煽りを抑制することができる。また、背面装飾体５の平行移動をよりスムーズに行うことができる。
【００５１】
なお、装飾板３には、正面装飾体４の背面から延びる軸部が挿通される貫通孔３ａが形成され、これにより装飾板３を挟んで互いに反対側に設けられた第１歯車５１と正面装飾体４とが連結されている（図５参照）。複数の正面装飾体４は、第１歯車５１に固定的に取り付けれ、回転板３０および装飾板３に対して固定的に設けられた軸線回りに回転する。
【００５２】
次に、時計１の動作について詳述する。
上述したように時計１の初期状態では、装飾板３、および複数の正面装飾体４は、全体として正面視で円形の状態で維持されている。また、複数の背面装飾体５の全体は、正面視で装飾板３に覆われている。
【００５３】
ここで、回転板３０の歯３９に連結したモータを駆動させると、回転板３０が地板２０に対して相対回転するとともに、複数の第１歯車５１および複数の第２歯車５２が公転する。第１歯車５１は、地板２０の外歯２１に噛み合っているので、公転に同期して自転する。これにより、第１歯車５１に固定的に取り付けられた正面装飾体４も装飾板３に対して回転する。
【００５４】
第２歯車５２は、地板２０の内歯２２に噛み合っているので、公転に同期して自転する。これにより、第２歯車５２に設けられたガイドピン５３は、初期状態の最も中心軸線Ｏに近い位置から、第２方向に変位しつつ第１方向で中心軸線Ｏから離れる方向に変位する。この際、背面装飾体５は、回転板３０に対して第１方向に平行移動可能に設けられているので、ガイドピン５３は、背面装飾体５を第１方向で中心軸線Ｏから離れる方向に押しながら、ガイド溝６２内を第２方向に移動する。ガイドピン５３が最も中心軸線Ｏから離れた位置に到達すると、背面装飾体５が正面視で装飾板３から最も突出した状態となる。さらに第２歯車５２が回転を続けると、ガイドピン５３は、第２方向に変位しつつ第１方向で中心軸線Ｏに近付く方向に変位し、背面装飾体５が第１方向で中心軸線Ｏに近付く方向に移動する。
【００５５】
以上に説明したように、本実施形態の時計１は、地板２０に対して中心軸線Ｏ回りに相対回転可能な回転板３０と、回転板３０に回転可能に支持され、地板２０に対する回転板３０の回転に同期して回転する第２歯車５２と、第２歯車５２に連係し、第１方向に沿って変位する背面装飾体５と、を備える。
この構成によれば、回転板３０の回転に同期して背面装飾体５を中心軸線Ｏ回りに公転させながら、中心軸線Ｏに対して接近離間する方向に移動させることができる。よって、従来の時計にはない複雑な動作をする背面装飾体５を備えた時計１を提供できる。
【００５６】
また、背面装飾体５は、文字板を構成する装飾板３の背面側に配置され、正面視で装飾板３から突出可能に形成されている。
この構成によれば、背面装飾体５が装飾板３の背面側からせり出したり、装飾板３の背面側に戻ったりする動作を表現できる。よって、従来の時計と比較して、より面白みのある時計とすることができる。
【００５７】
また、地板２０には、中心軸線Ｏを中心として円弧状に延びる内歯２２が設けられている。第２歯車５２は、内歯２２に噛み合っている。
この構成によれば、回転板３０を地板２０に対して相対回転させると、地板２０の内歯２２に噛み合う第２歯車５２が中心軸線Ｏ回りに公転しながら自転する。よって、回転板３０の回転に同期して回転する第２歯車５２を形成することができる。
【００５８】
また、回転板３０は、背面装飾体５に対して第２方向で接触可能なガイド部４０を備える。
この構成によれば、背面装飾体５の第２方向の変位をガイド部４０によって規制できる。よって、回転板３０の回転に同期して背面装飾体５を中心軸線Ｏ回りに公転させることができる。
【００５９】
また、背面装飾体５は、第１方向で位置の異なる２点でガイド部４０に接触可能に設けられている。
ここで、ガイド部が１点で背面装飾体５に接触する場合、接触部を支点として回転板３０上で背面装飾体５が回転するように変位する可能性がある。上記構成によれば、背面装飾体５が回転板３０上で回転するように変位することを抑制できる。したがって、回転板３０から見て放射状に延びる第１方向に沿って背面装飾体５を変位させることができる。
【００６０】
また、第２歯車５２は、第２歯車５２の回転中心に対して偏心した位置で背面装飾体５側に突出するガイドピン５３を備える。背面装飾体５には、ガイドピン５３が挿入されるとともに、第１方向に交差する方向に延びるガイド溝６２が形成されている。
この構成によれば、ガイドピン５３をガイド溝６２内で変位させることで背面装飾体５に対するガイドピン５３の第１方向に交差する方向への変位を許容しつつ、ガイドピン５３の第１方向への変位に連動して背面装飾体５を第１方向に変位させることができる。したがって、第２歯車５２の回転運動を背面装飾体５の直線運動に変換することができる。
【００６１】
また、時計１は、背面装飾体５を挟んで回転板３０とは反対側から背面装飾体５に接触する装飾板３を備える。
この構成によれば、背面装飾体５の回転板３０から離れる方向への変位を装飾板３によって規制できる。したがって、背面装飾体５を安定させることができる。
【００６２】
また、背面装飾体５は、第１方向で位置の異なる２点で装飾板３に接触している。
ここで、装飾板が１点で背面装飾体５に接触する場合、接触部を支点として背面装飾体５が煽られるように変位する可能性がある。上記構成によれば、背面装飾体５が煽られることを抑制できる。したがって、背面装飾体５をより安定させることができる。
【００６３】
また、時計１は、回転板３０に回転可能に支持され、地板２０に対する回転板３０の回転に同期して回転する第１歯車５１と、第１歯車５１に固定的に取り付けられた正面装飾体４と、を備える。
この構成によれば、回転板３０の回転に同期して正面装飾体４を中心軸線Ｏ回りに公転させながら、回転板３０に対して回転させることができる。よって、複雑な動作をする正面装飾体４を備えた時計１を提供できる。
【００６４】
なお、本発明は、図面を参照して説明した上述の実施形態に限定されるものではなく、その技術的範囲において様々な変形例が考えられる。
例えば、上記実施形態では、複数の背面装飾体５は、３個設けられているが、これに限定されず、背面装飾体の個数は任意に設定可能である。正面装飾体についても同様である。また、正面装飾体を備えない時計に本発明を適用してもよい。
【００６５】
また、上記実施形態では、背面装飾体５が初期状態では正面視で装飾板３に覆われているが、これに限定されない。初期状態で、背面装飾体の一部は、正面視で装飾板３から突出していてもよい。また、背面装飾体５の突出部１４の形状は、上記実施形態に限定されず、任意にデザイン可能である。
【００６６】
また、上記実施形態では、背面装飾体５に形成されたガイド溝６２に第２歯車５２のガイドピン５３が挿入されることで、背面装飾体５および第２歯車５２が互いに連係しているが、背面装飾体５および第２歯車５２の連係構成はこれに限定されない。例えば、第２歯車に形成されたガイド溝に背面装飾体のガイドピンが挿入されてもよい。また、背面装飾体および第２歯車は、ラックアンドピニオン機構により互いに連係してもよい。具体的に、第２歯車に噛み合うラックを背面装飾体に設け、背面装飾体を回転板３０に対して平行移動可能としてもよい。
【００６７】
また、上記実施形態では、ガイド溝６２が第２方向に延びているが、これに限定されない。
【００６８】
また、上記実施形態では、第２歯車５２が地板２０の内歯２２に噛み合うことで、地板２０に対する回転板３０の回転に同期して第２歯車５２を回転可能としているが、これに限定されない。例えば、第２歯車は、地板２０の外歯２１に噛み合っていてもよい。また、例えば、第２歯車は、他の歯車を介して第１歯車５１に噛み合うことにより、地板２０に対する回転板３０の回転に同期して第２歯車５２を回転可能とされていてもよい。
【００６９】
その他、本発明の趣旨を逸脱しない範囲で、上記した実施の形態における構成要素を周知の構成要素に置き換えることは適宜可能である。
【符号の説明】
【００７０】
１…時計  ３…装飾板（文字板、押さえ板）  ４…正面装飾体（文字板）  ５…背面装飾体（装飾体）  ２０…地板  ２２…内歯（歯部）  ３０…回転板  ４０…ガイド部（規制部）  ５２…第２歯車（歯車）  ５３…ガイドピン  ６２…ガイド溝  Ｏ…中心軸線（回転軸線）
【図１】
2020176894.tif 000003
【図２】
2020176894.tif 000004
【図３】
2020176894.tif 000005
【図４】
2020176894.tif 000006
【図５】
2020176894.tif 000007
【図６】
2020176894.tif 000008
【図７】
2020176894.tif 000009
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
地板と、
前記地板に対して所定の回転軸線回りに相対回転可能な回転板と、
前記回転板に回転可能に支持され、前記地板に対する前記回転板の回転に同期して前記回転軸線回りを公転しながら自転する歯車と、
前記回転板から見て前記回転軸線を中心として放射状に延びる第１方向に沿って、前記回転板に対して変位する装飾体と、
を備え、
前記歯車は、前記歯車の回転中心に対して偏心した位置で前記装飾体側に突出するガイドピンを有し、
前記装飾体は、前記第１方向に交差する方向に延びるガイド溝を有し、前記ガイド溝に前記ガイドピンが挿入されて前記歯車と連係し、
前記回転板の回転に伴う前記歯車の前記回転軸線回りの公転および前記歯車の自転により、前記ガイドピンが前記ガイド溝内で移動して、前記装飾体が前記回転軸線回りに公転しながら前記第１方向に変位する、
ことを特徴とする時計。
【請求項２】
前記装飾体は、文字板の背面側に配置され、正面視で前記文字板から突出可能に形成されている、
ことを特徴とする請求項１に記載の時計。
【請求項３】
前記地板には、前記回転軸線を中心として円弧状に延びる歯部が設けられ、
前記歯車は、前記歯部に噛み合っている、
ことを特徴とする請求項１または請求項２に記載の時計。
【請求項４】
前記回転軸線の軸方向から見て前記第１方向に直交する方向を第２方向とし、
前記回転板は、前記装飾体に対して前記第２方向で接触可能な規制部を備える、
ことを特徴とする請求項１から請求項３のいずれか１項に記載の時計。
【請求項５】
前記装飾体は、前記第１方向で位置の異なる少なくとも２点で前記規制部に接触可能に設けられている、
ことを特徴とする請求項４に記載の時計。
【請求項６】
前記装飾体を挟んで前記回転板とは反対側から前記装飾体に接触する押さえ板を備える、
ことを特徴とする請求項１から請求項５のいずれか１項に記載の時計。
【請求項７】
前記装飾体は、前記第１方向で位置の異なる少なくとも２点で前記押さえ板に接触している、
ことを特徴とする請求項６に記載の時計。
【手続補正２】
【補正対象書類名】明細書
【補正対象項目名】０００６
【補正方法】変更
【補正の内容】
【０００６】
本発明の時計は、地板と、前記地板に対して所定の回転軸線回りに相対回転可能な回転板と、前記回転板に回転可能に支持され、前記地板に対する前記回転板の回転に同期して前記回転軸線回りを公転しながら自転する歯車と、前記回転板から見て前記回転軸線を中心として放射状に延びる第１方向に沿って、前記回転板に対して変位する装飾体と、を備え、前記歯車は、前記歯車の回転中心に対して偏心した位置で前記装飾体側に突出するガイドピンを有し、前記装飾体は、前記第１方向に交差する方向に延びるガイド溝を有し、前記ガイド溝に前記ガイドピンが挿入されて前記歯車と連係し、前記回転板の回転に伴う前記歯車の前記回転軸線回りの公転および前記歯車の自転により、前記ガイドピンが前記ガイド溝内で移動して、前記装飾体が前記回転軸線回りに公転しながら前記第１方向に変位する、ことを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】